【手続補正書】
【提出日】平成15年12月11日(2003.12.11)
【手続補正１】
【補正対象書類名】明細書
【補正対象項目名】特許請求の範囲
【補正方法】変更
【補正の内容】
【特許請求の範囲】
【請求項１】
デジタルコンテンツまたは前記デジタルコンテンツに関するメタ情報を取り扱うデジタルコンテンツ処理装置であって、
前記デジタルコンテンツまたは前記メタ情報を制御するための第１の制御情報を保持し、入力される第２の制御情報によって前記保持している第１の制御情報を管理する管理手段と、
前記デジタルコンテンツまたは前記メタ情報の利用を前記第１の制御情報によって制御する制御手段とを有することを特徴とするデジタルコンテンツ処理装置。
【請求項２】
前記第１の制御情報は、共通鍵暗号方式における暗号化鍵であることを特徴とする請求項１に記載のデジタルコンテンツ処理装置。
【請求項３】
前記管理手段は、前記暗号化鍵を消去することによって前記第１の制御情報を管理することを特徴とする請求項２に記載のデジタルコンテンツ処理装置。
【請求項４】
前記管理手段は、前記暗号化鍵を更新することによって前記第１の制御情報を管理することを特徴とする請求項２に記載のデジタルコンテンツ処理装置。
【請求項５】
前記第１の制御情報は、公開鍵暗号方式における復号鍵であることを特徴とする請求項１に記載のデジタルコンテンツ処理装置。
【請求項６】
前記管理手段は、前記公開鍵暗号方式における無効化リストによって前記第１の制御情報を管理することを特徴とする請求項５に記載のデジタルコンテンツ処理装置。
【請求項７】
前記第１の制御情報は、前記デジタルコンテンツまたは前記メタ情報に対応づけられていることを特徴とする請求項１〜６の何れか１項に記載のデジタルコンテンツ処理装置。
【請求項８】
前記第１の制御情報は、前記デジタルコンテンツまたは前記メタ情報の配信者に対応づけられていることを特徴とする請求項１〜６の何れか１項に記載のデジタルコンテンツ処理装置。
【請求項９】
前記第１の制御情報を管理する管理手段は、不正操作の困難な媒体で実現されていることを特徴とする請求項１〜８の何れか１項に記載のデジタルコンテンツ処理装置。
【請求項１０】
前記デジタルコンテンツまたは前記メタ情報を記憶しておく記憶手段を有することを特徴とする請求項１〜９の何れか１項に記載のデジタルコンテンツ処理装置。
【請求項１１】
前記デジタルコンテンツまたは前記メタ情報を受信する受信手段を有することを特徴とする請求項１〜１０の何れか１項に記載のデジタルコンテンツ処理装置。
【請求項１２】
前記請求項１〜１１の何れか１項に記載のデジタルコンテンツ処理装置を用いて、前記デジタルコンテンツである放送コンテンツを取り扱うことを特徴とするデジタル放送受信装置。
【請求項１３】
前記請求項１〜１１の何れか１項に記載のデジタルコンテンツ処理装置を有することを特徴とするデジタルコンテンツ処理システム。
【請求項１４】
前記請求項１〜１１の何れか１項に記載のデジタルコンテンツ処理装置を有することを特徴とするデジタル放送システム。
【請求項１５】
デジタルコンテンツ及び前記デジタルコンテンツに関するメタ情報を取り扱うデジタルコンテンツ処理方法であって、
前記デジタルコンテンツまたは前記メタ情報を制御するための第１の制御情報を媒体に保持し、入力される第２の制御情報によって前記保持している第１の制御情報を管理する管理工程と、
前記デジタルコンテンツまたは前記メタ情報の利用を前記第１の制御情報によって制御する制御工程とを有することを特徴とするデジタルコンテンツ処理方法。
【請求項１６】
前記第１の制御情報は、共通鍵暗号方式における暗号化鍵であることを特徴とする請求項１５に記載のデジタルコンテンツ処理方法。
【請求項１７】
前記管理工程は、前記暗号化鍵を消去することによって前記第１の制御情報を管理することを特徴とする請求項１６に記載のデジタルコンテンツ処理方法。
【請求項１８】
前記管理工程は、前記暗号化鍵を更新することによって前記第１の制御情報を管理することを特徴とする請求項１６に記載のデジタルコンテンツ処理方法。
【請求項１９】
前記第１の制御情報は、公開鍵暗号方式における復号鍵であることを特徴とする請求項１５に記載のデジタルコンテンツ処理方法。
【請求項２０】
前記管理工程は、前記公開鍵暗号方式における無効化リストによって前記第１の制御情報を管理することを特徴とする請求項１９に記載のデジタルコンテンツ処理方法。
【請求項２１】
前記第１の制御情報は、前記デジタルコンテンツまたは前記メタ情報に対応づけられていることを特徴とする請求項１５〜２０の何れか１項に記載のデジタルコンテンツ処理方法。
【請求項２２】
前記第１の制御情報は、前記デジタルコンテンツまたは前記メタ情報の配信者に対応づけられていることを特徴とする請求項１５〜２０の何れか１項に記載のデジタルコンテンツ処理方法。
【請求項２３】
前記請求項１５〜２２の何れか１項に記載のデジタルコンテンツ処理方法をコンピュータに実行させるためのプログラムを記録したことを特徴とするコンピュータ読み取り可能な記憶媒体。
【請求項２４】
前記請求項１５〜２２の何れか１項に記載のデジタルコンテンツ処理方法をコンピュータに実行させることを特徴とするコンピュータプログラム。
【手続補正２】
【補正対象書類名】明細書
【補正対象項目名】００２４
【補正方法】変更
【補正の内容】
【００２４】
【課題を解決するための手段】
本発明のデジタルコンテンツ処理装置は、デジタルコンテンツまたは前記デジタルコンテンツに関するメタ情報を取り扱うデジタルコンテンツ処理装置であって、前記デジタルコンテンツまたは前記メタ情報を制御するための第１の制御情報を保持し、入力される第２の制御情報によって前記保持している第１の制御情報を管理する管理手段と、前記デジタルコンテンツまたは前記メタ情報の利用を前記第１の制御情報によって制御する制御手段とを有することを特徴としている。
また、本発明の他の特徴とするところは、前記第１の制御情報は、共通鍵暗号方式における暗号化鍵であることを特徴としている。
また、本発明のその他の特徴とするところは、前記管理手段は、前記暗号化鍵を消去することによって前記第１の制御情報を管理することを特徴としている。
また、本発明のその他の特徴とするところは、前記管理手段は、前記暗号化鍵を更新することによって前記第１の制御情報を管理することを特徴としている。
また、本発明のその他の特徴とするところは、前記第１の制御情報は、公開鍵暗号方式における復号鍵であることを特徴としている。
また、本発明のその他の特徴とするところは、前記管理手段は、前記公開鍵暗号方式における無効化リストによって前記第１の制御情報を管理することを特徴としている。
また、本発明のその他の特徴とするところは、前記第１の制御情報は、前記デジタルコンテンツまたは前記メタ情報に対応づけられていることを特徴としている。
また、本発明のその他の特徴とするところは、前記第１の制御情報は、前記デジタルコンテンツまたは前記メタ情報の配信者に対応づけられていることを特徴としている。
また、本発明のその他の特徴とするところは、前記第１の制御情報を管理する管理手段は、不正操作の困難な媒体で実現されていることを特徴としている。
また、本発明のその他の特徴とするところは、前記デジタルコンテンツまたは前記メタ情報を記憶しておく記憶手段を有することを特徴としている。
また、本発明のその他の特徴とするところは、前記デジタルコンテンツまたは前記メタ情報を受信する受信手段を有することを特徴としている。


【手続補正３】
【補正対象書類名】明細書
【補正対象項目名】００２９
【補正方法】変更
【補正の内容】
【００２９】
本発明の記憶媒体は、前記の何れかに記載のデジタルコンテンツ処理方法をコンピュータに実行させるためのプログラムを記録したことを特徴としている。